(57)【要約】【課題】棚受け自体に抜け止め部材が組み込まれた棚受けの良さを残しつつ、棚受け本体を簡単な構造とし、両側操作が可能な棚受けを提供すること。【解決手段】支柱のスリットに係止する係止片１２を備えた棚板を支持する棚受け本体１と、棚受け本体１の一端側において出没自在に付設され、係止片１２がスリットに係止する際、スリット内に挿入されて棚受け本体１の支柱からの抜けを防止する樹脂製の抜け止め部材２と、を有し、抜け止め部材２は、下端側が棚受け本体１に軸支され、上端側に付設された抜け止め係止突起２２が、支柱側であって、且つ円周方向に常時、バネ付勢されている棚受け１０。【選択図】図１
2020171574.tif 000002
【特許請求の範囲】
【請求項１】
固定支持部に上下方向、所定のピッチで多数形成されるスリットに係止する係止片を備えた棚板を支持する棚受け本体と、
該棚受け本体の一端側において出没自在に付設され、該係止片が該スリットに係止する際、該スリット内に挿入されて棚受け本体の固定支持部からの抜けを防止する抜け止め部材と、を有し、  
該抜け止め部材は、一方の端部が該棚受け本体に軸支され、他方の端部の抜け止め係止突起が、該固定支持部側であって、且つ円周方向に常時、バネ付勢されていることを特徴とする棚受け。
【請求項２】
該抜け止め部材の軸支位置は、該棚受け本体の下端側または上端側であることを特徴とする請求項１記載の棚受け。
【請求項３】
該棚受け本体は、該抜け止め係止突起が没入する第１凹部と、該第１凹部の底面から内側でバネ部材が収納される第２凹部と、を有することを特徴とする請求項１又は２記載の棚受け。
【請求項４】
該抜け止め部材は、該棚受け本体の両側に配設される左右側板を有し、該抜け止め係止突起は、該左右側板の上部または下部において固定支持部側へ突出していることを特徴とする請求項１〜３のいずれか１項に記載の棚受け。
【請求項５】
該軸支は、該棚受け本体に形成される凹部と該抜け止め部材に形成される凸部との係止であることを特徴とする請求項１〜４のいずれか１項に記載の棚受け。 
【発明の詳細な説明】
【技術分野】
【０００１】
本発明は、固定支持部である２本の支柱間に差し渡し状に架設される板状の棚板を支持する棚受けに関するものである。
【背景技術】
【０００２】
従来、一般的な棚受けとしては、全体が細長い略三角形状に形成された棚受け本体の一端側に、棚板を架設する支柱に上下方向に所定のピッチで多数、形成されたスリットに係止する略横Ｌ字状の係止片が上下に２つ又は３つ付設されたものが知られている。
【０００３】
このような棚受けを支柱に設置する場合、先ず棚受け本体の一端側の係止片を支柱のスリットに挿入し、次に、棚受け本体の全体を下方に下げることによって、支柱に係止させ設置する。これにより、棚受け上に板状の棚板を設置することができる。
【０００４】
しかし、このような従来の棚受けは、係止片はスリット内において、下方に下げられたものであるため、設置後、スリット内における係止片の上方に隙間が発生する。このため、意図せぬ外力が作用して、係止片が支柱のスリットから抜け、棚受けが支柱から脱落するという問題があった。
【０００５】
このような問題を解決するものとして、特開２０１０−１８７７４５号公報には、支柱の係合孔と、その係合孔に挿入係合された棚受の係合フックとの間に生じる隙間に差し込む差し込み突部を備えた棚受抜け止め具において、前記差し込み突部は、差し込み側となる前端部の反対側の後端部に前記棚受の板厚の間隔をおき、かつ前記後端部を越える所要長さの一対のガイド片が対向状に設けられたことを特徴とする棚受抜け止め具が開示されている。この発明によれば、差し込み部材に設けた一対のガイド片が、棚受後端部の両側面に接することにより、差し込み部材に設けた差し込み突部の姿勢が正確に定まり、また、ガイド片に指を掛けて差し込み突部を係合孔の隙間に差し込むことができる便利さがある。このため、前記隙間が中間部や下段部の係合フックの上辺に設けられた場合でも差し込みが可能となる。
【０００６】
また、特開平１１−３３２６６３号公報には、棚を設置するための支柱(１２)に穿設された多数の孔(１３)に係入可能な係入片(２) が棚受け本体(１) の一端側に形成された棚受けにおいて、前記棚受け本体(１) の係入片(２) が支柱(１２)の孔(１３)に係入された際に、該支柱(１２)の孔(１３)内に挿入されて棚受け本体(１) の支柱(１２)からの抜けを防止しうる抜け止め部材(４) が、前記棚受け本体(１) の一端側に出没自在に設けられてなることを特徴とする棚受けが開示されている。この棚受けによれば、不可抗力によって係入片が孔から抜けて棚受けが支柱から離脱するのを好適に防止することができる。また、従来のようにビス止めやドライバー等の工具を別途要することなく、ワンタッチの簡易な操作で自動的に支柱への固定状態での取り付けを行うことが可能となる。
【先行技術文献】
【特許文献】
【０００７】
【特許文献１】特開２０１０−１８７７４５号公報（請求項１）
【特許文献２】特開平１１−３３２６６３号公報（請求項１）
【発明の開示】
【発明が解決しようとする課題】
【０００８】
しかしながら、特開２０１０−１８７７４５号公報の棚受け抜け止め具は、棚受けとは別途の部材であり、個別の保管管理が必要である。また、支柱への棚受けの設置においては、棚受けの設置工程と、棚受け抜け止め具の設置工程が必要となり、工程数が増えるという問題がある。また、特開平１１−３３２６６３号公報の棚受け１１は、抜け止め部材４とバネ８を収納するための凹部（ガイド溝５）を棚受け本体１の側面にプレス加工により設ける必要があり、また、その凹部に収納した抜け止め部材４とバネ８の脱落を防止するために蓋材６を取り付ける必要があるなど、棚受け本体１の構造が複雑になるという問題がある。また、抜け止め部材４の摘み片１０は棚受け本体１の一方の側面のみであり、棚受け１１の取り外しは、片側操作でしかできないという問題がある。また、抜け止め部材４は棚受け本体１と蓋材６に挟まれており、面-面間接触による摩擦抵抗が生じて、作動が円滑ではないという問題がある。
【０００９】
すなわち、本発明の目的は、棚受け自体に抜け止め部材が組み込まれた棚受けの良さを残しつつ、抜け止め部材の両側操作が可能で、作動が円滑であり、且つ棚受け本体が簡単な構造の棚受けを提供することにある。
【課題を解決するための手段】
【００１０】
すなわち、本発明は、上記課題を解決するものであって、固定支持部に上下方向、所定のピッチで多数形成されるスリットに係止する係止片を備えた棚板を支持する棚受け本体と、該棚受け本体の一端側において出没自在に付設され、該係止片が該スリットに係止する際、該スリット内に挿入されて棚受け本体の固定支持部からの抜けを防止する抜け止め部材と、を有し、該抜け止め部材は、一方の端部が該棚受け本体に軸支され、他方の端部の抜け止め係止突起が、該固定支持部側であって、且つ円周方向に常時、バネ付勢されていることを特徴とする棚受けを提供するものである。
【００１１】
また、本発明は、該抜け止め部材の軸支位置は、該棚受け本体の下端側または上端側であることを特徴とする前記棚受けを提供するものである。
【００１２】
また、本発明は、該棚受け本体は、該抜け止め係止突起が没入する第１凹部と、該第１凹部の底面から内側でバネ部材が収納される第２凹部と、を有することを特徴とする前記棚受けを提供するものである。
【００１３】
また、本発明は、該抜け止め部材は、該棚受け本体の両側に配設される左右側板を有し、該抜け止め係止突起は、該左右側板の上部または下部において固定支持部側へ突出していることを特徴とする前記棚受けを提供するものである。
【００１４】
また、本発明は、該軸支は、該棚受け本体に形成される凹部と該抜け止め部材に形成される凸部との係止であることを特徴とする前記棚受けを提供するものである。
【発明の効果】
【００１５】
本発明によれば、棚受け自体に抜け止め部材が組み込まれているため、棚受けの包装、搬送等の取り扱いが便利である。また、棚受けを固定支持部に係止させると同時に抜け止め係止突起がスリットにワンタッチで差し込まれるため、作業性がよい。また、棚受け本体は、抜け止め部材が嵌る貫通孔と、バネ部材と抜け止め係止突起が収納又は没入する凹部のみを形成すればよく、簡単な構造である。また、抜け止め部材の回動は、軸支によるため、棚受け本体と抜け止め部材との面-面接触はなく、作動が円滑である。
【図面の簡単な説明】
【００１６】
【図１】本発明の実施の形態における棚受けの左側面図である。
【図２】図１の棚受けの平面図である。
【図３】図１の棚受けの正面図である。
【図４】図１の棚受けの背面図である。
【図５】図１の棚受けの分解左側面図である。
【図６】図１の棚受けを構成する抜け止め部材の正面図である。
【図７】図５のＹ２-Ｙ２線に沿って見た図である。
【図８】図１の棚受けを構成する抜け止め部材の背面図である。
【図９】図８のＹ１-Ｙ１線に沿って見た断面図である。
【図１０】図４のＸ-Ｘ線に沿って見た部分拡大断面図である。
【図１１】図１の棚受けの組み立て方法を説明する図である。
【図１２】図１の棚受けを支柱に取り付ける方法を説明する図である。
【図１３】図１の棚受けを支柱に取り付ける方法を説明する図であり、図１１に続く工程である。
【図１４】図１の棚受けを支柱に取り付ける方法を説明する図であり、図１２に続く工程である。
【発明を実施するための形態】
【００１７】
次に、本発明の実施の形態における棚受けを図１〜図１４を参照して説明する。本明細書において、「上下」、「左右」は、棚受けの設置状態における顧客側から見た位置関係を言う。棚受け１０は、棚受け本体１と、樹脂製の抜け止め部材２と、バネ部材３とを有する。
【００１８】
棚受け１０において、棚受け本体１は、固定支持部である支柱５０のスリット５１に係止する係止片１２（１２ａ、１２ｂ）を備えた棚板を支持するものである。棚受け本体１は、板状体であって、先細り形状である。また、棚受け本体１は、支柱５０への係止側の端部に、係止片１２ａ、１２ｂを備える。係止片１２ａ、１２ｂは、貫通孔であるスリット５１ａ、５１ｂに係止するフック状の横Ｌ字形状である。
【００１９】
棚受け本体１は、図５に示すように、２つの係止片１２ａ、１２ｂ間の端部は、コイルバネ（バネ部材）３及び抜け止め部材２の抜け止め係止突起２２の反支柱側のバネ係止部２２１が収納される特定の形状を有する。すなわち、下方の係止片１２ｂの直上には、抜け止め部材２の抜け止め係止突起２２のバネ係止部２２１が没入する第１凹部１３と、第１凹部１３の底面に付設されるコイルバネ３が収納される第１凹部１３より開口寸法が小の第２凹部１４と、を有する。また、棚受け本体１の下端側で、前後位置が第１凹部１３の底面近傍には、抜け止め部材２が軸支される凹部１５（本例では貫通孔）が形成されている。凹部１５は、貫通孔に限定されず、有底の非貫通孔であってもよい。また、係止片１２は、上下２つに限定されず、上下３つのものであってもよい。この場合、上下３つの中の上方の２つの係止片の間に第１凹部１３と第２凹部１４を形成することが、安定な抜け止め効果が得られる点で好ましい。
【００２０】
抜け止め部材２は、下端側が棚受け本体１に軸支され、上端側に付設された抜け止め係止突起２２が、支柱側であって、且つ円周方向に常時、バネ付勢されている。すなわち、抜け止め部材２は、棚受け本体１の両側に配設される左右側板２１ａ、２１ｂ有し、抜け止め係止突起２２の先端は、左右側板２１ａ、２１ｂの上端側において支柱側へ突出している。左右側板２１ａ、２１ｂ間の隙間寸法は、棚受け本体１の厚みよりやや大の寸法が好ましい。これにより、抜け止め部材２が軸支１５（２３）を中心に回動しても、棚受け本体１との間で摩擦抵抗を生じることがない。また、左右側板２１ａ、２１ｂの下部には、棚受け本体１に形成される軸支用の貫通孔１５（凹部）に回動自在に係止する小突起（凸部）２３ａ、２３ｂが形成されている。小突起２３ａ、２３ｂは、左右側板２１ａ、２１ｂの内側面から内側へ延びる小さな円柱状で、棚受け本体１の貫通孔１５にほぼ隙間なく嵌る形状である。
【００２１】
また、抜け止め係止突起２２は、左右側板２１ａ、２１ｂの支柱側の端部に形成されており、左右側板２１ａ、２１ｂ間で、且つ抜け止め係止突起２２の反支柱側は、コイルバネ３が嵌る隙間２２２を有している。また、抜け止め係止突起２２の支柱側の先端形状は、内角が鈍角の角部２２３であり、角部２２３を構成する一方の上面２２５が支柱側にやや下り傾斜状であり、上面２２５と連続する他方の前面２２６が反支柱側にやや下り傾斜状である。これにより、抜け止め部材２がスリット５１に係止する際、一方の上面２２５とスリット５１の上方の外角が当接するため、強い係止が可能となる。
【００２２】
また、抜け止め係止突起２２の反支柱側の端部形状は、上下に溝２２４ａ、２２４ｂを形成することで得られるバネ係止部２２１を形成している。バネ係止部２２１には、コイルバネ（バネ部材）３の一端が取り付けられる。上下の溝２２４ａ、２２４ｂの溝幅は、コイルバネ３のバネ太さよりやや大となっている。これにより、コイルバネ３の一端は、溝２２４ａ、２２４ｂに係止し、バネ係止部２２１に嵌ることになる。また、抜け止め部材２の左右側板２１ａ、２１ｂの上部で且つ反支柱側には、外側面から外側に僅かに突出する縦長の摘み片２１１ａ、２１１ｂが形成されている。スリット５１から棚受け１０を外す際、摘み片２１１ａ、２１１ｂのいずれか一方又は両方を摘み、バネ部材３のバネ力に抗して、抜け止め部材２を反支柱側に回動させる。
【００２３】
次に、棚受け１０を組み立てる方法について、図１１を参照して説明する。先ず、抜け止め係止突起２２のバネ係止部２２１に、コイルバネ３の一端を嵌合させて、抜け止め部材２にコイルバネ３を取り付ける。これにより、コイルバネ３は、横長状態となっている。コイルバネ３が組み込まれた抜け止め部材２は、図１１のように、棚受け本体１の第１凹部１３にコイルバネ３が対峙する位置から、棚受け本体１に横移動により差し込み、棚受け本体１の貫通孔１５に、抜け止め部材２の小突起（凸部）２３ａ、２３ｂを嵌め込むことで組付け、図１に示す棚受け１０を得る。抜け止め部材２の左右側板２１ａ、２１ｂ間の反支柱側は、開口しており、嵌め込みは円滑に行える。この際、コイルバネ３の反支柱側の端部は、第２凹部１４の底面に当接している。
【００２４】
次に、棚受け１０を支柱５０に取り付ける方法を、図１２〜図１４を参照して説明する。先ず、棚受け本体１の一端側の係止片１２ａ、１２ｂを、支柱５０のスリット５１ａ、５１ｂに挿入する（図１２及び図１３）。この際、抜け止め部材２の抜け止め係止突起２２の先端は、支柱５０のスリットの存在しない支柱５０のボディ部５２ａに当接し、支柱５０に押されて、コイルバネ３は、矢印Ｚ１の方向に縮小すると共に、抜け止め部材２は、コイルバネ３のバネ力に抗して、図１３の矢印Ｚ２方向に回動する。
【００２５】
次に、図１４に示すように、棚受け本体１の全体を下側に落とすと、支柱５０のボディ部５２ａ、５２ｂに、係止片１２ａ、１２ｂの内溝１６ａ、１６ｂが嵌り、これにより、係止片１２ａ、１２ｂが支柱５０のスリット５１ａ、５１ｂに係止する。
【００２６】
棚受け本体１の全体を下側に落とすことで、抜け止め部材２の抜け止め係止突起２２は、支柱５０ボディ部５２ａへの当接が解除され、スリット５１ｂの上方隙間に位置し、抜け止め部材２はコイルバネ３のバネ力により、矢印Ｚ３方向に付勢されて回動し、棚受け本体１の一端側の外側に突出する。この結果、抜け止め部材４の抜け止め係止突起２２は支柱５０のスリット５１ｂに嵌ることになる。この際、図１４に示すように、抜け止め係止突起２２の上面２２５とスリット５１の上方の外角が当接するため、線接触の強い係止が可能となる。このような棚受け１０は、左右２本の支柱５０の同一高さのスリット５１に取り付け、左右一対の棚受け本体１の上に板状の棚板が載せられ、商品陳列面を形成する。
【００２７】
次に、棚受け１０を支柱５０から取り外す方法について説明する。抜け止め部材２の摘み片２１１ａ、２１１ｂ（図１４では不図示）を図１４の矢印Ｚ３とは反対方向（コイルバネ３で付勢される方向と反対側の方向）に引張り、抜け止め部材２を回動させ、抜け止め係止突起２２を棚受け本体１の一端側より内側に没入させる。この際、抜け止め部材２の抜け止め係止突起２２のバネ係止部２２１が棚受け本体１の第１凹部１３の底面１３１に当たるまで、回動させる。これにより、抜け止め係止突起２２が支柱５０のスリット５１ｂ内に係止した状態が解除され、この状態で棚受け本体１を上側に持ち上げる。このとき、係止片１２ａ、１２ｂの支柱５０のスリット５１ａ、５１ｂへの係止態も解除され、次いで棚受け本体１を手前に引き抜けば、棚受け１０を支柱５０から取り外すことができる。
【００２８】
本例の棚受け１０によれば、抜け止め部材２が組み込まれているため、棚受けの包装、搬送等の取り扱いに便利である。また、棚受け１０を支柱５０に係止させると同時に抜け止め係止突起２２がスリットにワンタッチで差し込まれるため、作業性がよい。また、棚受け本体１は、抜け止め部材２が嵌る軸支の貫通孔１５と、バネ部材３と抜け止め係止突起２２のバネ係止部２２１が収納される凹部（第１凹部１３と第２凹部１４）のみを形成すればよく、簡単な構造である。また、抜け止め部材２の回動は、軸支によるため、棚受け本体１と抜け止め部材２との面-面接触はなく、回動が円滑である。また、棚受け１０が支柱５０に設置された状態において、抜け止め係止突起２２の上面２２５とスリット５１ｂの上方の外角が当接するため、線接触の強い係止が可能となる。これにより、棚受け本体１の係止片１２が支柱５０のスリット５１から意図せぬ外力により抜けるのが防止され、従って、棚受け１０が支柱５０から不用意に脱落するのが防止される。また、支柱５０から抜け止め部材２を取り外すには、抜け止め部材２の左右側板２１ａ、２１ｂに付設された摘み片２１１ａ、２１１ｂのいずれか一方又は両方のいずれを摘んでもよく、操作が容易である。
【００２９】
本発明において、棚受け１０は、上記実施の形態に限定されず、種々の変形を採ることができる。棚受け１０における抜け止め部材２の軸支位置は、下端側に限定されず、上端側であってもよい。この場合、コイルバネ３及び抜け止め係止突起２２の形状及び設置姿勢は、図１と同様であり、抜け止め部材２の下端、すなわち、抜け止め係止突起２２の回動方向が支柱側に上り傾斜状となる。このような軸支位置が上端側であっても、棚受け１０と同様の作用効果を生じる。また、棚受け本体１の第２凹部は、円弧断面に限定されず、四角断面であってもよい。また、抜け止め部材２の摘み片２１１ａ、２１１ｂの取り付け位置は、左右側板２１ａ、２１ｂの上部手前側に限定されず、左右側板２１ａ、２１ｂの上部のいずれの箇所であってもよい。また、抜け止め係止突起２２の先端角の内角は、鈍角に限定されず、９０度又は鋭角であってもよい。また、本発明において、固定支持部としては、支柱に限定されず、壁体などであってもよい。
【産業上の利用可能性】
【００３０】
本発明によれば、棚受け自体に抜け止め部材が組み込まれているため、取り扱いに便利である。また、棚受けを支柱のスリットにワンタッチで差し込まれるため、作業性がよい。また、棚受け本体は、抜け止め部材が嵌る端部の形状と軸支の凹部のみを形成すればよく、加工が容易である。また、抜け止め部材の回動は、軸支によるため、棚受け本体と抜け止め部材との面-面接触はなく、作動性がよい。
【符号の説明】
【００３１】
１    棚受け本体
２    抜け止め部材
３    コイルバネ（バネ部材）
１０  棚受け
１３  第１凹部
１４  第２凹部
１５  貫通孔（凹部）
５０  支柱
５１（５１ａ、５１ｂ）  スリット
１２（１２ａ、１２ｂ）  係止片
２２  抜け止め係止突起
２１ａ、２１ｂ  左右側板 
【図１】
2020171574.tif 000003
【図２】
2020171574.tif 000004
【図３】
2020171574.tif 000005
【図４】
2020171574.tif 000006
【図５】
2020171574.tif 000007
【図６】
2020171574.tif 000008
【図７】
2020171574.tif 000009
【図８】
2020171574.tif 000010
【図９】
2020171574.tif 000011
【図１０】
2020171574.tif 000012
【図１１】
2020171574.tif 000013
【図１２】
2020171574.tif 000014
【図１３】
2020171574.tif 000015
【図１４】
2020171574.tif 000016
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
固定支持部に上下方向、所定のピッチで多数形成されるスリットに係止する係止片を備えた棚板を支持する棚受け本体と、
該棚受け本体の一端側において出没自在に付設され、該係止片が該スリットに係止する際、該スリット内に挿入されて棚受け本体の固定支持部からの抜けを防止する抜け止め部材と、を有し、
該抜け止め部材は、反固定支持部側にある摘み片を有するとともに、一方の端部が該棚受け本体に軸支され、他方の端部の抜け止め係止突起が、該固定支持部側であって、且つ円周方向に常時、バネ付勢されていることを特徴とする棚受け。
【請求項２】
該抜け止め部材の軸支位置は、該棚受け本体の下端側または上端側であることを特徴とする請求項１記載の棚受け。
【請求項３】
該棚受け本体は、該抜け止め係止突起が没入する第１凹部と、該第１凹部の底面から内側でバネ部材が収納される第２凹部と、を有することを特徴とする請求項１又は２記載の棚受け。
【請求項４】
該抜け止め部材は、該棚受け本体の両側に配設される左右側板を有し、該抜け止め係止突起は、該左右側板の上部または下部において固定支持部側へ突出していることを特徴とする請求項１〜３のいずれか１項に記載の棚受け。
【請求項５】
該軸支は、該棚受け本体に形成される凹部と該抜け止め部材に形成される凸部との係止であることを特徴とする請求項１〜４のいずれか１項に記載の棚受け。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
固定支持部に上下方向、所定のピッチで多数形成されるスリットに係止する係止片を備えた棚板を支持する棚受け本体と、
該棚受け本体の一端側において出没自在に付設され、該係止片が該スリットに係止する際、該スリット内に挿入されて棚受け本体の固定支持部からの抜けを防止する抜け止め部材と、を有し、
該抜け止め部材は、反固定支持部側にある摘み片を有するとともに、一方の端部が該棚受け本体に軸支され、他方の端部の抜け止め係止突起が、該抜け止め係止突起の反固定支持部側に形成されたバネ係止部に一端が取り付けられたバネ部材によって、該固定支持部側であって、且つ円周方向に常時、バネ付勢されており、
該棚受け本体は、
該抜け止め係止突起が没入する第１凹部と、
該棚受け本体の該第１凹部の底面に設けられ、該第１凹部よりも開口寸法が小で円形の第２凹部であって、内側で該バネ部材が収納される第２凹部と、
該第１凹部と該第２凹部との境界の位置に設けられ該第２凹部よりも開口寸法が小のくびれ部であって、開口寸法が該バネ部材の直径と略同じであるくびれ部と、
を有することを特徴とする棚受け。
【請求項２】
該抜け止め部材の軸支位置は、該棚受け本体の下端側または上端側であることを特徴とする請求項１記載の棚受け。
【請求項３】
該抜け止め部材は、該棚受け本体の両側に配設される左右側板を有し、該抜け止め係止突起は、該左右側板の上部または下部において固定支持部側へ突出していることを特徴とする請求項１又は請求項２に記載の棚受け。
【請求項４】
該軸支は、該棚受け本体に形成される凹部と該抜け止め部材に形成される凸部との係止であることを特徴とする請求項１〜３のいずれか１項に記載の棚受け。